(57)【要約】【課題】エレベータかご室内の照明装置の保守作業の時期を適切に管理する。【解決手段】診断装置９の診断部２３は、記憶装置２２の点検情報記憶部２９に記憶される照明装置点検情報テーブルの一物件に関わる累積点灯回数、累積点灯時間、据付後経過日数を読み出す。診断部２３は、この読み出した累積点灯回数、累積点灯時間、据付後経過日数と記憶装置２２に記憶される条件とを比較し、読み出し済みの情報が比較先の条件を満たす場合、当該点検実施条件に関わる点検実施履歴がなければ、通知処理部２５は、点検作業が必要であるとみなし、当該物件に対応するエレベータのかご室内照明装置３の点検作業を促す通知である点検指示信号を送受信装置１０を介して保守員事務所に送信する。【選択図】      図２
2009120369.tif 000002
【特許請求の範囲】
【請求項１】
乗りかご内の照明装置の据付後の動作状況を演算する演算手段と、
前記演算手段により演算した動作状況が予め定められた条件を満たした場合に前記照明装置の保守作業を促す通知を行なう通知手段と
を備えたことを特徴とするエレベータ保守管理装置。
【請求項２】
前記定められた条件は、前記照明装置の点検実施条件および交換実施条件でなり、
前記通知手段は、前記演算手段により演算した動作状況が前記点検実施条件を満たした場合に前記照明装置の点検作業を促す通知を行ない、前記演算手段により演算した動作状況が前記交換実施条件を満たした場合に前記照明装置の交換作業を促す通知を行なう
ことを特徴とする請求項１に記載のエレベータ保守管理装置。
【請求項３】
前記動作状況は、前記照明装置の据付後の累積点灯回数、累積点灯時間および据付後経過日数の少なくとも１種類である
ことを特徴とする請求項１に記載のエレベータ保守管理装置。
【請求項４】
外部装置からの、前記通知手段による通知にしたがって前記照明装置の保守作業が完了した旨を示す信号を検出する検出手段をさらに備えた
ことを特徴とする請求項１に記載のエレベータ保守管理装置。
【請求項５】
前記通知手段は、前記保守作業を促す通知を行なった後で予め定められた条件を満たしても前記検出手段による検出がなされない場合に、前記保守作業を促す通知を再度行なう
ことを特徴とする請求項４に記載のエレベータ保守管理装置。
【請求項６】
前記通知手段は、前記演算手段により演算した動作状況が予め定められた交換実施条件を満たした場合に、前記照明装置の交換作業を促す通知を行ない、
前記照明装置の交換作業が完了した旨の外部装置への入力操作を示す信号を検出する検出手段と、
前記検出手段による検出タイミングが前記通知手段による前記交換作業を促す通知前であって、かつ当該検出タイミングにおいて前記演算手段により演算した動作状況が予め定められた最低寿命条件を満たす場合に、前記検出手段による検出タイミングが前記通知手段による前記交換作業を促す通知前でなくなるように前記交換実施条件を変更する変更手段と、
前記検出手段による検出タイミングが前記交換作業を促す通知前であって、かつ当該検出タイミングにおいて前記演算手段により演算した動作状況が前記最低寿命条件を満たしていない場合に、前記照明装置の異常を示す通知を行なう第２の通知手段とをさらに備えた
ことを特徴とする請求項１に記載のエレベータ保守管理装置。
【発明の詳細な説明】
【技術分野】
【０００１】
本発明は、乗りかご内の照明装置の保守管理を行なうためのエレベータ保守管理装置に関する。
【背景技術】
【０００２】
従来、エレベータかご室内の照明装置（例えば特許文献１参照）は、かご室内に乗客が一定時間いない場合には消灯し、呼びが発生して乗客を輸送する場合に点灯する。この照明装置は通常、蛍光灯を使用しており、当該蛍光灯の蛍光管やスタータには寿命が存在する。従来、かご室内の照明装置については交換周期があらかじめ保守計画で設定される。保守員は当該照明装置の使用状況を問わず交換周期が経過した時点で交換を実施している。
【特許文献１】特開２００５−１８７１７１号公報
【発明の開示】
【発明が解決しようとする課題】
【０００３】
照明装置である蛍光灯は、その特性上、累積点灯回数が多くなった場合には、同じ点灯時間において連続点灯させる場合と比較して寿命が大幅に短くなる。エレベータが据え付けられる建物の種類は多岐にわたり、稼働率の高いオフィス用のエレベータでは照明装置の交換周期が短く、使用回数の少ない住宅用のエレベータでは照明装置の交換周期が長い。
【０００４】
また、同じオフィス用のエレベータでも物件ごとに稼働率が異なるため、照明装置の交換周期には、ばらつきが生じるはずである。しかしながら、現状において照明装置の交換作業は各物件について当該照明装置の動作状況を考慮せずに一律に定められた交換周期にしたがって行われているため、ある物件では照明装置を無駄に短い周期で交換してしまったり、別の物件では既定の交換周期に達する前に照明装置が寿命に到達してしまったりする。
【０００５】
照明装置の交換周期を必要以上に短く設定した場合には、交換要員である保守員の余分な出動が生じる上、蛍光管やスタータを無駄に消費してしまう問題が生じる。また、交換周期を必要以上に長く設定したために、照明装置の交換周期が経過する前に当該照明装置の寿命となるとエレベータが利用できず、使用者である乗客に不便を強いてしまう。
【０００６】
また、照明装置の定期的な点検についても、従来では物件ごとに当該照明装置の動作状況を考慮せずに点検周期を一律に設定しているため、この点検周期が必要以上に短いと点検作業が不必要に多くなり、点検周期が不必要に長いと照明装置の故障を引き起こしてしまう。
【０００７】
そこで、本発明の目的は、エレベータかご室内の照明装置の保守作業の時期を適切に管理できることが可能になるエレベータ保守管理装置を提供することにある。
【課題を解決するための手段】
【０００８】
すなわち、本発明に係わるエレベータ保守管理装置は、乗りかご内の照明装置の据付後の動作状況を演算し、この動作状況が予め定められた条件を満たした場合に照明装置の保守作業を促す通知を行なうことを特徴とする。
【発明の効果】
【０００９】
本発明によれば、エレベータかご室内の照明装置の保守作業の時期を適切に管理することができる。
【発明を実施するための最良の形態】
【００１０】
以下図面により本発明の実施形態について説明する。  
図１は、本発明の実施形態にしたがったエレベータ保守管理システムの構成例を示すブロック図である。  
図１に示すように、本発明の実施形態にしたがったエレベータ保守管理システムは、エレベータの昇降路１とエレベータの運行状況を監視するためのエレベータ監視センタ８との間で通信を行ない、エレベータ監視センタ８と保守員事務所１１間との間の通信を行なう。図１には１台分のエレベータの昇降路１を示しているが、実際には複数台のエレベータの昇降路１がエレベータ監視センタ８との間で通信を行なう。
【００１１】
昇降路１内の乗りかご２は図示しない巻き上げ機のモータ軸に設けられた図示しないシーブ４に巻き掛けられたロープを介してつり合いおもり５と連結され、巻き上げ機の駆動によるシーブの回転に伴い、つり合いおもり５とともに互いに上下反対方向に昇降する。乗りかご２の駆動方式は油圧方式など他の方式であってもよい。
【００１２】
乗りかご２内には、かご室内照明装置３が備えられる。かご室内照明装置３は蛍光灯である。この蛍光灯は点灯用の図示しない電気回路、スタータおよび蛍光管を備える。  
保守員事務所１１の保守員は、必要に応じて昇降路１に向かい、この昇降路１内のかご室内照明装置３の保守作業、ここでは点検作業や交換作業を行なう。
【００１３】
また、昇降路１内には、エレベータ制御装置６、送受信装置７が備えられる。エレベータ制御装置６は、図示しないテールコードを介してかご室内照明装置３と接続され、かご室内照明装置３の交換などによる据付後の累積点灯時間、累積点灯回数、据付後経過日数などを検出する。
【００１４】
また、エレベータ監視センタ８は、診断装置９、送受信装置１０を備える。また、保守員事務所１１は保守員が使用するための情報処理装置１２および送受信装置１３を備える。情報処理装置１２は入力装置と表示用のモニタを備える。
【００１５】
昇降路１の送受信装置７はエレベータ監視センタ８の送受信装置１０との間で無線通信を行ない、エレベータ監視センタ８の送受信装置１０は保守員事務所１１の送受信装置１３との間で無線通信を行なう。それぞれの送受信装置間の通信方式は有線通信であってもよい。
【００１６】
保守員は、エレベータ監視センタ８もしくは保守員事務所１１のオペレータからの指示によりエレベータのかご室内照明装置３の動作を点検したり、かご室内照明装置３のスタータや蛍光管の交換作業を行なったりする。この保守員は、エレベータ監視センタ８の診断装置９との間の通信機能を有する図示しない携帯通信端末装置を携行する。
【００１７】
保守員は、このかご室内照明装置３の点検作業や交換作業の結果を、自身が携行する携帯通信端末装置を用いて入力して、この入力結果をエレベータ監視センタ８の診断装置９に送信する。
【００１８】
図２は、本発明の実施形態にしたがったエレベータ保守管理システムの診断装置の構成例を示すブロック図である。  
図２に示すように、エレベータ監視センタ８の診断装置９は、装置全体の動作を司る制御部２１、記憶装置２２、診断部２３、演算手段である演算部２４、通知手段である通知処理部２５、検出手段である検出処理部２６、変更手段である変更処理部２７を備え、それぞれがバス２８を介して相互に接続される。
【００１９】
記憶装置２２は不揮発性メモリなどの記憶媒体であり、制御部２１、診断部２３、演算部２４、通知処理部２５、検出処理部２６、変更処理部２７が処理動作のために実行するためのプログラムを記憶する他、各物件のエレベータのかご室内照明装置３の動作状況を記憶するための点検情報記憶部２９を有する。動作状況とは、かご室内照明装置３の据付後の累積点灯時間、累積点灯回数、据付後経過日数である。  
演算部２４は、各物件のかご室内照明装置３の据付後の現在の累積点灯回数、累積点灯時間、据付後経過日数を演算する。
【００２０】
図３は、本発明の実施形態にしたがったエレベータ保守管理システムの診断装置の記憶装置に記憶される照明装置点検情報テーブルの一例を表形式で示す図である。  
図３に示すように、診断装置９の記憶装置２２の点検情報記憶部２９には照明装置点検情報テーブルが記憶される。この照明装置点検情報テーブルは、エレベータ監視センタ８による監視対象の各エレベータの物件名、かご室内照明装置３の前回の交換日時、前々回の交換日時、据付後からの累積点灯回数、累積点灯時間、据付後経過日数、各種の点検実施条件、交換実施条件、各種の点検実施履歴を管理する。物件名は、エレベータの設置先の建物名および号機名でなる。
【００２１】
点検実施条件とは、保守員が、かご室内照明装置３の点検作業を行なうべき条件である。この条件は累積点灯回数の閾値、累積点灯時間の閾値、据付後経過日数の閾値でなる。図３に示すように、点検実施条件は累積点灯回数、累積点灯時間、据付後経過日数の段階別に複数種類設定される。
【００２２】
また、交換実施条件とは、かご室内照明装置３の想定寿命を意味し、保守員が、かご室内照明装置３の交換作業を行なうべき条件である。この条件は、点検実施条件と同様に累積点灯回数の閾値、累積点灯時間の閾値、据付後経過日数の閾値でなる。
【００２３】
診断部２３は、何れかの物件のエレベータについて演算部２４により演算した累積点灯回数、累積点灯時間、据付後経過日数が演算対象のエレベータについて設定された各種点検実施条件や交換実施条件で定義される累積点灯回数の閾値、累積点灯時間の閾値、据付後経過日数の閾値に達したか否かを判別する。
【００２４】
通知処理部２５は、演算部２４により演算済みの累積点灯回数、累積点灯時間、据付後経過日数の少なくとも１種類が、演算対象のエレベータについて設定された各種点検実施条件や交換実施条件で定義される累積点灯回数の閾値、累積点灯時間の閾値もしくは据付後経過日数の閾値に達したと診断部２３が判別した場合に、かご室内照明装置３の点検作業や交換作業の必要がある旨を保守員事務所１１の情報処理装置１２に通知する。
【００２５】
検出処理部２６は、この通知による点検作業や交換作業対象であるエレベータのかご室内照明装置３の点検作業や交換作業の完了を示す完了通知信号が保守員による携帯通信端末装置への入力操作にしたがって送信された場合に、これを検出する。変更処理部２７は、点検情報記憶部２９に照明装置点検情報テーブルの交換実施条件を必要に応じて変更する。
【００２６】
照明装置点検情報テーブル上の点検実施履歴は、かご室内照明装置３の点検作業の必要がある旨の通知にしたがって点検作業を行なった保守員が携帯通信端末装置を用いて入力した、点検先の物件名、点検結果、点検日時、点検者氏名を含む情報である。
【００２７】
各種の点検実施履歴は各種の点検実施条件と１対１で対応する。例えば、照明装置点検情報テーブル上の点検実施第１条件に対応する点検実施履歴は点検実施第１履歴であり、点検実施第２条件に対応する点検実施履歴は点検実施第２履歴である。  
また、各物件についての交換実施条件および各種点検実施条件には選択順位が設定される。選択順位とは、各エレベータの動作状況と比較するための選択の優先順位である。
【００２８】
各種点検実施条件のうち、閾値となる累積点灯回数、累積点灯時間、据付後経過日数が少ない条件は選択順位が先となり、閾値が大きい条件は選択順位が後となる。また、交換実施条件の選択順位は最後となる。
【００２９】
次に、図１に示した構成のエレベータ保守管理システムの動作について説明する。図４は、本発明の実施形態にしたがったエレベータ保守管理システムの診断装置の通知有無判別処理の一例を示すフローチャートである。  
まず、各エレベータのエレベータ制御装置６は、自機の乗りかご２内のかご室内照明装置３の動作状況の情報および物件名を含む信号を一定時間ごとに送受信装置７を介してエレベータ監視センタ８の送受信装置１０に送信している。  
エレベータ監視センタ８の送受信装置１０は、エレベータ制御装置６からの信号を受信すると、この信号を診断装置９の演算部２４に出力する。
【００３０】
診断装置９の演算部２４は、送受信装置１０からの信号を入力すると、記憶装置２２の点検情報記憶部２９に記憶される照明装置点検情報テーブル上の情報のうち、動作状況の信号の送信元の物件名を選択し、この物件名に関連付けられる累積点灯回数、累積点灯時間、据付後経過日数の内容を、エレベータ制御装置６からの信号で示される内容に更新する。
【００３１】
診断部２３は、記憶装置２２の点検情報記憶部２９に記憶される照明装置点検情報テーブル上の情報のうち、前述したように選択した物件名のかご室内照明装置３の据付後の動作状況である累積点灯回数、累積点灯時間、据付後経過日数を一定時間ごとに読み出す（ステップＳ１）。
【００３２】
そして、診断部２３は、照明装置点検情報テーブルから前述したように選択した物件名に関わる交換実施条件および各種点検実施条件や交換実施条件のうち、照明装置点検情報テーブル上の当該物件名に関わる先頭の選択順位の条件を選択する（ステップＳ２）。
【００３３】
診断部２３は、ステップＳ１の処理で読み出した累積点灯回数、累積点灯時間、据付後経過日数、およびステップＳ２の処理で選択した条件を比較し、読み出し済の情報のいずれかが条件を満たす、つまり、読み出し済みの累積点灯回数が比較先の条件の累積点灯回数の閾値以上となる、または読み出し済みの累積点灯時間が比較先の条件の累積点灯時間の閾値以上となる、または読み出し済みの据付後経過日数が比較先の条件の据付後経過日数の閾値以上となった場合には（ステップＳ３のＹＥＳ）、診断部２３は、比較先の条件が交換実施条件であるか否かを判別する（ステップＳ４）。
【００３４】
診断部２３がステップＳ３の処理で「ＮＯ」と判別した場合には、ステップＳ１の処理に戻る。この場合、再度なされるステップＳ２の処理では、直前に選択された条件の選択順位より一つ後の選択順位の条件が読み出されることになる。
【００３５】
診断部２３は、比較先の条件が交換実施条件でない場合には（ステップＳ４のＮＯ）、比較先の条件が各種点検実施条件のいずれかであるとみなし、当該点検実施条件に対応する点検実施履歴が照明装置点検情報テーブル上に記録されているか否かを判別する（ステップＳ８）。
【００３６】
診断部２３が、ステップＳ８の処理で「ＹＥＳ」と判別した場合には、ステップＳ１の処理に戻る。この場合、再度なされるステップＳ２の処理では、直前に選択された条件の選択順位より一つ後の選択順位に対応する条件が読み出されることになる。
【００３７】
一方、診断部２３が、ステップＳ８の処理で「ＮＯ」と判別した場合には、通知処理部２５は、保守員への点検作業の指示が必要であるとみなし、ステップＳ１の処理で選択済みの物件名に対応するエレベータのかご室内照明装置３の点検作業を促す通知である点検指示信号を送受信装置１０を介して保守員事務所１１の送受信装置１３に送信する（ステップＳ９）。
【００３８】
保守員事務所１１の送受信装置１３は、診断装置９からの点検指示信号を受信すると、この点検指示信号を情報処理装置１２に出力する。情報処理装置１２は、送受信装置１３からの点検指示信号を入力すると、この点検指示信号で示されるエレベータのかご室内照明装置３の点検作業を促すメッセージをモニタ表示させる。メッセージは、例えば「＊＊ビル１号機のかご内照明の点検が必要です。」である。これにより、保守員事務所１１の保守員は、各エレベータのうちかご室内照明装置３の点検が必要なエレベータを容易に判別することができる。
【００３９】
メッセージの表示を確認した保守員が当該点検指示信号で示されたエレベータに移動して、当該エレベータのかご室内照明装置３の点検作業を行ない、保守員が携帯通信端末装置に対し、点検結果、点検日時および点検者氏名の入力操作およびこれら入力した情報を含む点検完了通知信号の送信のための操作を行なうと、携帯通信端末装置は点検完了通知信号をエレベータ監視センタ８の送受信装置１０へ送信する。
【００４０】
エレベータ監視センタ８の送受信装置１０は、携帯通信端末装置からの点検完了通知信号を受信すると、この信号を診断装置９へ出力する。  
診断装置９の検出処理部２６は、送受信装置１０からの点検完了通知信号を検出すると（ステップＳ１０のＹＥＳ）、当該検出した信号で示されるエレベータのかご室内照明装置３の点検結果、点検実施日時および点検作業者氏名を、点検情報記憶部２９に記憶される照明装置点検情報テーブル上の各種点検実施履歴のうちステップＳ２の処理で選択した点検実施条件に対応する点検実施履歴に反映させる（ステップＳ１１）。この反映後はステップＳ１の処理に戻る。この場合、再度なされるステップＳ２の処理では、直前に選択した条件の選択順位より一つ後の選択順位に対応する条件が読み出されることになる。
【００４１】
一方、通知処理部２５による点検指示信号の送信後に予め定められた時間を診断部２３が計時したり、点検指示信号の送信後のかご室内照明装置３の点灯回数が予め定められた回数に達したと診断部２３が判別したり、点検指示信号の送信後のかご室内照明装置３の点灯回数が予め定められた回数に達したと診断部２３が判別したりしても、検出処理部２６が完了通知信号を検出していない場合には、通知処理部２５は点検指示信号を再度送信する（ステップＳ１０→Ｓ９）。
【００４２】
また、前述したステップＳ４の処理で「ＹＥＳ」と判別された場合、つまり比較先の条件が交換実施条件であると診断部２３が判別した場合には、通知処理部２５は、保守員への交換作業の指示が必要であるとみなし、ステップＳ１の処理で選択済みの物件名に対応するエレベータのかご室内照明装置３の交換作業を促す通知である交換指示信号を送受信装置１０を介して保守員事務所１１の送受信装置１３に送信する（ステップＳ５）。
【００４３】
保守員事務所１１の送受信装置１３は、診断装置９からの交換指示信号を受信すると、これを情報処理装置１２に出力する。情報処理装置１２は、送受信装置１３からの交換指示信号を入力すると、この交換指示信号で示されるエレベータのかご室内照明装置３の交換作業を促すメッセージを表示させる。これにより、保守員事務所１１の保守員は各エレベータのうちかご室内照明装置３の交換が必要なエレベータを容易に判別することができる。
【００４４】
このメッセージの表示を確認した保守員が当該交換指示信号で示されたエレベータのかご室内照明装置３の交換作業を行ない、携帯通信端末装置に対し、作業結果、交換作業日時および交換作業者氏名の入力操作およびこれら入力した情報を含む交換完了通知信号の送信のための操作を行なうと、携帯通信端末装置は交換完了通知信号をエレベータ監視センタ８の送受信装置１０へ送信する。
【００４５】
エレベータ監視センタ８の送受信装置１０は、携帯通信端末装置からの交換完了通知信号を受信すると、この信号を診断装置９へ出力する。  
診断装置９の検出処理部２６は、送受信装置１０からの交換完了通知信号を検出すると（ステップＳ６のＹＥＳ）、点検情報記憶部２９に記憶される照明装置点検情報テーブル上の情報のうちステップＳ１の処理で選択した物件名に対応するエレベータに関する各種交換日時を更新するとともに、累積点灯回数、累積点灯時間、据付後経過日数および各種点検実施履歴を初期化する（ステップＳ７）。
【００４６】
一方、通知処理部２５による交換指示信号の送信後に予め定められた時間を診断部２３が計時したり、交換指示信号の送信後のかご室内照明装置３の点灯回数が予め定められた回数に達したと診断部２３が判別したり、交換指示信号の送信後のかご室内照明装置３の点灯回数が予め定められた回数に達したと診断部２３が判別したりしても検出処理部２６が交換完了通知信号を検出していない場合には、通知処理部２５は交換指示信号を再度送信する（ステップＳ６→Ｓ５）。
【００４７】
以上、かご室内照明装置３に関する点検作業や交換作業を促す通知について説明した。ここで、かご室内照明装置３の据付後動作状況である累積点灯回数、累積点灯時間および据付後経過日数のいずれかが、かご室内照明装置３の想定寿命である交換指示条件を満たす前に、かご室内照明装置３が実際の寿命を迎えてしまい、保守員が交換指示信号を待たずに交換作業を行わなければならない場合がある。このような場合は、当該交換後のかご室内照明装置３の交換指示を適切に行なうために、交換実施条件の変更を行なう必要がある。
【００４８】
図５は、本発明の実施形態にしたがったエレベータ保守管理システムの診断装置の通知条件変更処理の一例を示すフローチャートである。  
まず、かご室内照明装置３の交換指示信号の出力前であるか否かに関わらず、保守員によるかご室内照明装置３の交換作業がなされることにより携帯通信端末装置から送信された交換完了通知信号を診断装置９の検出処理部２６が検出すると（ステップＳ２１）、診断装置９の診断部２３は、この検出したタイミングが交換完了指示信号に関わる物件のエレベータに関する交換指示信号の出力前である、つまり、照明装置点検情報テーブルで示される累積点灯回数、累積点灯時間および据付後経過日数が、交換指示条件で示される累積点灯回数の閾値、累積点灯時間の閾値もしくは据付後経過日数の閾値より短いと判別した場合には（ステップＳ２２のＹＥＳ）、この判別結果を物件名とともに記憶装置２２に記憶する。
【００４９】
記憶装置２２には、各エレベータのかご室内照明装置３の最低限保障される寿命である最低寿命条件が記憶される。この最低寿命条件は、かご室内照明装置３の最低限保障される累積点灯回数、累積点灯時間および据付後経過日数である。
【００５０】
診断部２３は、交換完了通知信号を検出したタイミングが交換指示信号の出力前であるとの判別結果が同一物件名について記憶装置２２に複数回分記憶されている場合には（ステップＳ２３のＹＥＳ）、この物件名を選択した上で、記憶装置２２の点検情報記憶部２９に記憶される照明装置点検情報テーブルから当該選択済みの物件名についての累積点灯回数、累積点灯時間および据付後経過時間の情報を読み出す（ステップＳ２４）。
【００５１】
診断部２３は、これら読み出した累積点灯回数、累積点灯時間および据付後経過時間が記憶装置２２に記憶される、同一物件のエレベータの最低寿命条件で示される累積点灯回数、累積点灯時間および据付後経過時間未満であるか否かを判別する（ステップＳ２５）。
【００５２】
診断部２３が、ステップＳ２５の処理で「ＮＯ」と判別した場合、変更処理部２７は、交換通知の対象となったかご室内照明装置３の寿命は最低寿命以上であるが、交換実施条件の設定が不適切であるとみなし、点検情報記憶部２９に記憶される照明装置点検情報テーブル上のステップＳ２４の処理で選択済みの物件名についての累積点灯回数、累積点灯時間および据付後経過時間を、ステップＳ２４の処理で読み出した累積点灯回数、累積点灯時間および据付後経過時間に変更する（ステップＳ２６）。
【００５３】
一方、診断部２３が、ステップＳ２５の処理で「ＹＥＳ」と判別した場合、通知処理部２５は、交換通知の対象となったかご室内照明装置３の寿命は最低寿命を満たしていないとみなし、当該かご室内照明装置３の異常を通知するための異常通知信号を送受信装置１０を介して、保守員事務所１１の送受信装置１３に送信する（ステップＳ２７）。
【００５４】
保守員事務所１１の送受信装置１３は、診断装置９からの異常通知信号を受信すると、これを情報処理装置１２に出力する。情報処理装置１２は、送受信装置１３からの異常通知信号を入力すると、この異常通知信号で示されるエレベータのかご室内照明装置３の異常を知らせるメッセージを表示させる。これにより、保守員事務所１１の保守員は、各エレベータのうち、かご室内照明装置３の異常が認められるエレベータを容易に判別することができる。
【００５５】
以上のように、本発明の実施形態にしたがったエレベータ保守管理システムでは、かご室内照明装置３の据付後の累積点灯回数、累積点灯時間および据付後経過日数を検出し、この検出結果が予め定められた条件を満たした場合に、保守員に対し、かご室内照明装置３の点検や交換を促す通知を行なうので、保守員による適切なタイミングにおけるかご室内照明装置３の保守作業を実現することができる。よって、合理的な保守管理計画を組むことが可能となり、かご室内照明装置３の急な故障などが生じないため乗客に不便を強いることが無くなる。また、かご室内照明装置３の個体差を加味した寿命予測を行えるようになることからかご室内照明装置３の無駄な交換などを無くすことができるようになる。
【００５６】
以上説明した実施携帯では、診断装置９は、点検指示信号や交換指示信号を送受信装置１０を介して保守員事務所１１の送受信装置１３に送信すると説明したが、これに限らず、点検指示信号や交換指示信号を送受信装置１０を介して保守員の携帯通信端末装置に送信し、エレベータのかご室内照明装置３の点検作業や交換作業を促すメッセージをモニタ表示させてもよい。これにより、保守員は、保守員事務所１１にいない場合であっても、各エレベータのうち、かご室内照明装置３の点検や交換が必要なエレベータを容易に判別することができる。
【００５７】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００５８】
【図１】本発明の実施形態にしたがったエレベータ保守管理システムの構成例を示すブロック図。
【図２】本発明の実施形態にしたがったエレベータ保守管理システムの診断装置の構成例を示すブロック図。
【図３】本発明の実施形態にしたがったエレベータ保守管理システムの診断装置の記憶装置に記憶される照明装置点検情報テーブルの一例を表形式で示す図。
【図４】本発明の実施形態にしたがったエレベータ保守管理システムの診断装置の通知有無判別処理の一例を示すフローチャート。
【図５】本発明の実施形態にしたがったエレベータ保守管理システムの診断装置の通知条件変更処理の一例を示すフローチャート。
【符号の説明】
【００５９】
１…昇降路、２…乗りかご、３…かご室内照明装置、４…シーブ、５…つり合いおもり、６…エレベータ制御装置、７，１０，１３…送受信装置、８…エレベータ監視センタ、９…診断装置、１１…保守員事務所、１２…情報処理装置、２１…制御部、２２…記憶装置、２３…診断部、２４…演算部、２５…通知処理部、２６…検出処理部、２７…変更処理部、２８…バス、２９…点検情報記憶部。
【図１】
2009120369.tif 000003
【図２】
2009120369.tif 000004
【図３】
2009120369.tif 000005
【図４】
2009120369.tif 000006
【図５】
2009120369.tif 000007